(57)【要約】【課題】  指定された複数の移動端末に対するマルチキャストサービス提供を簡略な構成で実現できる方法およびシステムを提供する。【解決手段】  無線基地局制御装置１０の多値符号変換部１０１は複数の配信先の識別情報から同一ビット数の多値符号列を生成し、エンコーダ１０２は所定の符号変換規則に従って多値符号列の各符号を複数ビットに変換した２値符号列を生成する。２値符号列と配信データとを含む下り送信フレーム信号が各移動端末へ送信される。移動端末では、受信した下り送信フレーム信号に含まれる２値符号列を多値符号列に戻して、自己の識別情報との一致／不一致を判定する。その際、多値符号列のうち不定値を示すＸについては識別情報の対応ビットと一致するものと強制的に判定する。【選択図】      図１
2005269138.tif 000002
【特許請求の範囲】
【請求項１】
それぞれ同じビット数の端末識別情報を有する複数の移動端末に対して配信データを送信するマルチキャストサービス提供方法において、
前記複数の端末識別情報における同一位置のビット値に基づいて、不定値を示す符号を含む同一ビット数の多値符号列を生成し、
所定の符号変換規則に従って、前記多値符号列の各符号を複数ビットに変換した２値符号列を生成し、
前記２値符号列と配信データとを含む下り送信フレーム信号を任意の無線基地局の無線エリアで送信し、
前記下り送信フレーム信号を受信した各移動端末は、
前記所定の符号変換規則に従って、受信した前記下り送信フレーム信号に含まれる前記２値符号列を前記多値符号列に変換し、
当該移動端末の識別情報の各ビットと前記多値符号列の対応する位置の符号とを比較する際に、前記多値符号列のうち不定値を有する符号については前記識別情報の対応ビットと一致するものと強制的に判定し、
当該移動端末の識別情報と前記多値符号列とがすべて一致したときのみ、前記下り送信フレーム信号に含まれる前記配信データを自端末宛のデータとして受信する、
ことを特徴とするマルチキャストサービス提供方法。
【請求項２】
複数の無線基地局が有線リンクで接続された無線基地局制御装置と、各無線基地局に無線リンクにより接続された複数の移動端末とを含み、それぞれ同じビット数の端末識別情報を有する複数の移動端末に対して配信データを送信するマルチキャストサービス提供システムにおいて、
前記無線基地局制御装置は、
前記複数の端末識別情報における同一位置のビット値に基づいて、不定値を示す符号を含む同一ビット数の多値符号列を生成する多値符号変換手段と、
所定の符号変換規則に従って、前記多値符号列の各符号を複数ビットに変換した２値符号列を生成する符号化手段と、
前記２値符号列と配信データとを含む下り送信フレーム信号を生成する下り信号生成手段と、
前記下り送信フレーム信号を任意の無線基地局の無線エリアで送信するように無線基地局を制御する無線基地局制御手段と、
を有し、
各移動端末は、
前記所定の符号変換規則に従って、受信した前記下り送信フレーム信号に含まれる前記２値符号列を前記多値符号列に変換する復号化手段と、
当該移動端末の識別情報の各ビットと前記多値符号列の対応する位置の符号とを比較する際に、前記多値符号列のうち不定値を示す符号については前記識別情報の対応ビットと一致するものと強制的に判定する判定手段と、
当該移動端末の識別情報と前記多値符号列とがすべて一致したときのみ、前記下り送信フレーム信号に含まれる前記配信データを自端末宛のデータとして受信する制御手段と、
ことを特徴とするマルチキャストサービス提供システム。
【請求項３】
複数の移動端末を無線リンクにより収容する複数の無線基地局を有線リンクを通して制御する無線基地局制御装置において、
同じ配信データを複数の移動端末へ配信するときに、前記複数の移動端末の識別情報における同一位置のビット値に基づいて、不定値を示す符号を含み、各識別情報と同一ビット数の多値符号列を生成する多値符号変換手段と、
所定の符号変換規則に従って、前記多値符号列の各符号を複数ビットに変換した２値符号列を生成する符号化手段と、
前記２値符号列と配信データとを含む下り送信フレーム信号を生成する下り信号生成手段と、
前記下り送信フレーム信号を任意の無線基地局の無線エリアで送信するように無線基地局を制御する無線基地局制御手段と、
を有することを特徴とする無線基地局制御装置。
【請求項４】
複数の無線基地局が有線リンクで接続された無線基地局制御装置と、任意の無線基地局に無線リンクにより接続された移動端末装置において、
所定ビット数の識別情報を格納した端末識別情報格納手段と、
前記無線基地局制御装置から前記無線基地局を通して下り送信フレーム信号を受信する受信手段と、
前記下り送信フレーム信号から端末識別情報を示す２値符号列を検出する検出手段と、
所定の符号変換規則に従って、前記２値符号列を多値符号列に変換する変換手段と、
当該移動端末の前記識別情報の各ビットと前記多値符号列の対応する位置の符号とを比較する際に、前記多値符号列のうち不定値を示す符号については前記識別情報の対応ビットと一致するものと強制的に判定する判定手段と、
当該移動端末の前記識別情報と前記多値符号列とがすべて一致したときのみ、前記下り送信フレーム信号に含まれる配信データを自端末宛のデータとして受信する制御手段と、
ことを特徴とする移動端末装置。
【発明の詳細な説明】
【技術分野】
【０００１】
本発明は移動体通信システムにおける複数の移動端末に対してマルチキャストサービスを提供する方法およびシステムに関する。
【背景技術】
【０００２】
マルチキャストサービス提供システムでは、サービスに加入している端末に対してデータあるいはコンテンツを配信している。しかしながら、加入端末と被加入端末とが混在している環境では加入端末を識別して配信する必要があり、従来、この端末識別方式がいくつか提案されている。
【０００３】
例えば、特開平１０−９３５５５号公報（特許文献１）に開示された通信方法では、マルチキャストアドレスあるいはグループ識別子と宛先端末識別子とを用いてマルチキャストデータを送信し、受信端末は受信パケットヘッダからマルチキャストアドレスあるいはグループ識別子と宛先端末識別子とを読み出して、パケットデータを受信すべきか否かを判定している。
【０００４】
また、特開平５−１２２１３２号公報（特許文献２）には、拡張フレーム内に第１アドレスコードワードと第２アドレスコードワードとを設けることで複数の端末の同時呼出を可能にした同報ページング方式が開示されている。詳しくは、受信側の呼出端末で、第１アドレスコードワードおよび第２アドレスコードワードのそれぞれ対応するビットを比較し、異なる場合には、当該ビットを０および１のいずれの値でもよいＸとして出力する。こうして得られた３値符号と自己のアドレスとを比較する際に、Ｘビットは強制的に一致ビットとして出力することで、複数の端末においてアドレス一致となり同時呼出が可能となる。
【０００５】
【特許文献１】特開平１０−９３５５５号公報（明細書段落００４０〜００４１、図５、００５９〜００６１、図１１参照）
【特許文献２】特開平５−１２２１３２号公報（明細書段落００１２〜００１３、００１８〜００２１、図２、図３参照）
【発明の開示】
【発明が解決しようとする課題】
【０００６】
しかしながら、特許文献１に記載された方法では、マルチキャストアドレス／グループ識別子と宛先端末識別子とを組み合わせて送信し、受信側ではそれぞれを判定する必要があり構成が複雑化する。また、特許文献２の方式はページング方式であり、データを複数の指定された端末へ同時に配信する構成とはなっていない。
【０００７】
本発明の目的は、指定された複数の移動端末に対するマルチキャストサービス提供を簡略な構成で実現できる方法およびシステムを提供することにある。
【課題を解決するための手段】
【０００８】
本発明によれば、それぞれ同じビット数の端末識別情報を有する複数の移動端末に対して配信データを送信する場合、前記複数の端末識別情報における同一位置のビット値に基づいて、不定値を示す符号を含む同一ビット数の多値符号列を生成し、所定の符号変換規則に従って、前記多値符号列の各符号を複数ビットに変換した２値符号列を生成し、前記２値符号列と配信データとを含む下り送信フレーム信号を任意の無線基地局の無線エリアで送信する。
【０００９】
この下り送信フレーム信号を受信した各移動端末は、前記所定の符号変換規則に従って、受信した前記下り送信フレーム信号に含まれる前記２値符号列を前記多値符号列に変換し、当該移動端末の識別情報の各ビットと前記多値符号列の対応する位置の符号とを比較する際に、前記多値符号列のうち所定の不定値を示す符号については前記識別情報の対応ビットと一致するものと強制的に判定し、当該移動端末の識別情報と前記多値符号列とがすべて一致したときのみ、前記下り送信フレーム信号に含まれる前記配信データを自端末宛のデータとして受信する。
【発明の効果】
【００１０】
複数の配信先の識別情報から多値符号を生成し、それを２値符号に変換して送信する。受信側の端末では、受信した２値符号から元の多値符号を再生し、その多値符号と自己の識別情報とを比較する際に、所定の２値（１または０）に定まらない値を示すＸは強制的に一致ビットとして処理する。これによって、配信先として指定された複数の移動端末だけが識別情報一致となり、配信データを受信することが可能となる。したがって、マルチキャストサービスに加入した端末と非加入の端末が１つの無線エリアに混在している環境であっても、加入端末だけが配信データを表示することができる。
【００１１】
また、配信先の識別情報を示す２値符号列だけで加入／非加入を判別できるために、マルチキャストサービスの提供が容易となり、システム構成も簡単になる。さらに、配信先の識別情報を示す２値符号列が配信データとともに送信されるために、配信データ毎に配信先を変えることも容易となる。
【発明を実施するための最良の形態】
【００１２】
以下、３ＧＰＰ(3rd Generation Partnership Project) による規定に基づく移動体通信システムを採り上げ、本発明の一実施形態を詳細に説明する。
【００１３】
図１は、本発明の一実施形態によるマルチキャストサービス提供システムの概略的構成を示すブロック図である。ＣＤＭＡ方式などの移動通信システムでは、無線基地局制御装置１０に複数の無線基地局ＢＳが有線リンクで接続され、各無線基地局ＢＳは無線ゾーンを形成し、全体としてサービスエリアを構成している。サービスエリア内には複数の移動端末ＭＴ1、ＭＴ2、・・・ＭＴNが存在し、各移動端末は近くの無線基地局との間で無線リンクを設定し相互通信が可能である。無線基地局ＢＳと各移動端末ＭＴとの間の無線リンクは、無線基地局制御装置１０の制御により行われる。
【００１４】
以下、説明を複雑化しないために、無線基地局制御装置１０はネットワーク２０に接続され、ネットワーク２０上のサーバ３０が無線基地局制御装置１０を通して複数（ここでは、４個）の移動端末ＭＴ1〜ＭＴ4に対してデータをマルチキャスト配信するものと仮定する。また、移動端末の識別情報は３２ビットからなり、配信先移動端末の識別情報から生成される多値符号は０／１／Ｘ（Ｘは０、１のいずれでもよい不定値）の３値符号であるとする。
【００１５】
１．送信側システム
無線基地局制御装置１０から無線基地局を介して移動端末へ送信される下り通信の場合、下り信号は無線基地局内でベースバンド処理を施され、下り無線リンク（下りトランスポートチャネル）を通して移動端末へ送信される。この下り無線リンクでは、後述するように、トランスポートブロック（ＴＢ: Transport Block）フレームを単位としてデータが送信される（図２参照）。
【００１６】
無線基地局制御装置１０には、３値符号変換部１０１、エンコーダ１０２、符号変換テーブル１０３、下り信号生成部１０４、および、無線基地局通信制御部１０５が設けられている。サーバ３０から配信データと配信先移動端末ＭＴ1〜ＭＴ4の識別情報ＩＤ1〜ＩＤ4とを受信すると、３値符号変換部１０１は、配信先識別情報ＩＤ1〜ＩＤ4の各ビットの異同に基づいて１つの３２ビット３値符号ＡXYを生成する。ただし、ＸＹ＝００、０１、０２、・・・３１である。
【００１７】
エンコーダ１０２は、後述するように、符号変換テーブル１０３（図３参照）を参照して３２ビット３値符号ＡXYの各ビットを２ビットで表現した全６４ビットの２値符号（ＡXY0，ＡXY1）に変換し、下り信号生成部１０４へ出力する。すなわち、０／１／Ｘのいずれかである１ビットのＡXYが２ビットの符号（ＡXY0，ＡXY1）に変換される。
【００１８】
下り信号生成部１０４は、６４ビット２値符号（ＡXY0，ＡXY1）を配信先の端末ＩＤ情報としてＴＢフレームに配置し、それに続いて配信データを配置することで下りＴＢフレーム信号を生成する。下りＴＢフレーム信号は無線基地局通信制御部１０５の制御により各無線基地局へ送信され、各無線基地局から傘下の各移動端末へ送信される。
【００１９】
（ＴＢフレームフォーマット）
図２は本実施形態において使用される下りＴＢフレームのフォーマット図である。ＴＢフレームは、ＴＣＴＦ（Target Channel Type Field）に続いて６４ビット２値符号（ＡXY0，ＡXY1）である端末ＩＤ情報を配置し、その後に配信データを配置する。端末ＩＤ情報は、Ａ000Ａ001Ａ010Ａ011Ａ020Ａ021・・・Ａ310Ａ311からなる６４ビットデータであり、各２ビットＡXY0ＡXY1が３値符号ＡXYに対応している。
【００２０】
従来、ＴＢフレームには端末ＩＤ情報は含まれていないために、移動端末側では別に通知されるシステム情報によって配信データの受信可否が設定されていた。本実施形態では、ＴＢフレームにマルチキャスト用の端末ＩＤ情報を設けることで配信データとともに端末指定情報を送信することができ、配信データ毎に配信先を変更することが容易となる。
【００２１】
図３は本実施形態において使用される符号変換テーブルの内容を示す模式図である。３値符号ＡXY＝０の場合は２ビットＡXY0ＡXY1＝００に、３値符号ＡXY＝１の場合は２ビットＡXY0ＡXY1＝１１に、それぞれ変換される。３値符号ＡXY＝Ｘの場合には、２ビットＡXY0ＡXY1＝０１あるいは１０のいずれかに変換されればよい。
【００２２】
（具体例）
図４は、本実施形態による配信先端末ＩＤ情報の生成方法を単純な例に則して説明するためのフローチャートである。配信先端末ＩＤリスト３０１に示すように、たとえば配信先移動端末ＭＴ1〜ＭＴ4の識別情報が４ビット（Ａ0，Ａ1，Ａ2，Ａ3）からなるものとし、それぞれＩＤ1＝“０１００”、ＩＤ2＝“０１０１”、ＩＤ3＝“０１１０”、ＩＤ4＝“０１１１”とした場合、ＴＢフレームに配置される端末ＩＤ情報Ａ000Ａ001Ａ010Ａ011Ａ020Ａ021Ａ030Ａ031は次のように生成される。
【００２３】
まず、３値符号変換部１０１は、配信先識別情報ＩＤ1〜ＩＤ4の各ビットの異同に基づいて１つの４ビット３値符号３０２を生成する。ここでは、各ＩＤの上位２ビットＡ0およびＡ1が共通の値“０１”であるから３値符号の上位２ビットはＡ00Ａ01＝０１となり、下位２ビットは“００”から“１１”までの範囲を満たしているのでＡ02Ａ03＝ＸＸとなる。
【００２４】
こうして得られた４ビット３値符号Ａ00Ａ01Ａ02Ａ03＝０１ＸＸは、図３に示す符号変換テーブル１０３を用いて８ビット２値符号３０３に符号化され、Ａ000Ａ001Ａ010Ａ011Ａ020Ａ021Ａ030Ａ031＝００１１０１０１を得る。この２値符号３０３が端末ＩＤ情報として下りＴＢフレームに配置される。
【００２５】
２．受信側移動端末
図５は、本実施形態によるマルチキャストサービス提供システムの移動端末の概略的構成を示すブロック図である。本実施形態による移動端末は、無線基地局ＢＳとの間で無線リンクを設定するための無線システム４０１および送受信信号のベースバンド処理を行うベースバンド処理部４０２を有する。
【００２６】
無線基地局から上述した下りＴＢフレーム信号を受信すると、ＩＤ情報検出部４０３はＴＢフレーム信号から端末ＩＤ情報部を検出し、その値、すなわちＡ000Ａ001Ａ010Ａ011Ａ020Ａ021・・・Ａ310Ａ311からなる６４ビットデータをデコーダ４０４へ出力する。デコーダ４０４は符号変換テーブル４０５（図３参照）を参照して６４ビット２値符号である端末ＩＤ情報を３２ビット３値符号に変換する。符号変換テーブル４０５は、図３に示すように、送信側の無線基地局制御装置１０に設けられたものと同じ内容を有する。
【００２７】
端末ＩＤ判定部４０６は、受信した３２ビット３値符号と端末ＩＤメモリ４０７に格納されている当該端末のＩＤとをビット毎に比較して一致／不一致を判定し、その判定結果を制御部４０８へ出力する。
【００２８】
制御部４０８は、判定結果がＩＤ一致の場合のみ、ベースバンド処理部４０２から入力した配信データを受け付けて処理し、表示部４０９を制御して配信画像を表示させ、また音声処理部４１０を制御してスピーカ４１１から配信音声を出力させる。判定結果がＩＤ不一致であれば、受信したＴＢフレーム信号は破棄される。
【００２９】
（端末ＩＤ判定）
図６は本実施形態における移動端末の端末ＩＤ判定部の判定動作を示すフローチャートである。ここでは、デコーダ４０４から入力した３２ビット３値符号をＡR0ＡR1ＡR2ＡR3・・・ＡR31とし、端末ＩＤメモリ４０７に格納された端末識別ＩＤをＡ0Ａ1Ａ2Ａ3・・・Ａ31とする。
【００３０】
端末ＩＤ判定部４０６は、変数ｉを０に初期化した後（ステップＳ５０１）、３値符号のＡRiと端末ＩＤのＡiとを読み込み（ステップＳ５０２）、３値符号ＡRi＝Ｘであるか否かを判断する（ステップＳ５０３）。３値符号ＡRi＝Ｘであれば（ステップＳ５０３のＹＥＳ）、当該ビットは強制的に一致しているとみなし、ビット一致判定Ｄi＝１とする（ステップＳ５０５）。
【００３１】
３値符号ＡRi＝Ｘでなければ（ステップＳ５０３のＮＯ）、３値符号のＡRiが端末ＩＤのＡiと等しいか否かを判断する（ステップＳ５０４）。ＡRi＝Ａiであれば（ステップＳ５０４のＹＥＳ）、ビット一致判定Ｄi＝１とする（ステップＳ５０５）。
【００３２】
ステップＳ５０３のＹＥＳあるいはステップＳ５０４のＹＥＳであれば、続いて、ｉ＝Ｎ（ここでは、Ｎ＝３１）に到達したか否かを判断し（ステップＳ５０６）、到達していなければ（ステップＳ５０６のＮＯ）、変数ｉを１だけ増加させ（ステップＳ５０９）、ステップＳ５０２へ戻る。
【００３３】
３値符号のＡRiと端末ＩＤのＡiとが異なると（ステップＳ５０４のＮＯ）、識別情報が異なるので不一致判定を出力し（ステップＳ５０８）、すぐに判定処理を終了する。
【００３４】
上述したようにステップＳ５０２〜Ｓ５０７を変数ｉをインクリメントしながら実行する。そしてｉ＝Ｎになると（ステップＳ５０６のＹＥＳ）、全てのビットで３値符号“ＡR0ＡR1ＡR2ＡR3・・・ＡR31”と端末ＩＤ“Ａ0Ａ1Ａ2Ａ3・・・Ａ31”とが一致したことになるので、一致判定を出力して処理を終了する（ステップＳ５０９）。
【００３５】
（具体例）
図７は本実施形態による端末ＩＤ情報の判定方法を単純な例に則して説明するためのフローチャートである。ここでは、図４に例示した端末ＩＤ情報が受信されたときの端末ＩＤ判定動作を一例として説明する。
【００３６】
ＩＤ情報検出部４０３は、受信したＴＢフレーム信号から受信ＩＤ情報６０１を検出する。受信ＩＤ情報６０１は“００１１０１０１”である。デコーダ４０４は、図３に示す符号変換テーブル４０５を参照して３値符号“０１ＸＸ”を端末ＩＤ判定部４０６へ出力する。端末ＩＤ判定部４０６は３値符号“０１ＸＸ”のＸは強制的に一致とみなすので、端末ＭＴ1〜ＭＴ4の識別情報ＩＤ1〜ＩＤ4はすべて３値符号“０１ＸＸ”と一致することとなり、配信データは制御部４０８により受け付けられ表示される。
【００３７】
もしＩＤ＝“１０００”を割り当てられたマルチキャスト非加入の移動端末ＭＴ5が同様に下りＴＢフレーム信号を受信しても、図６のステップ５０４で不一致と判定され、配信データを受信して表示させることはできない。よって、マルチキャストに加入した移動端末ＭＴ1〜ＭＴ4にのみ配信データが表示されることになる。
【００３８】
なお、上述した実施形態では、２ビットで３値符号を表現したが、一般化して、ｎビットで（２(n-1)＋１）個の多値符号を表現することも可能である。この場合、（２(n-1)＋１）個の多値符号の１つの値を０〜（２(n-1)−１）のうちどれでもよい‘Ｘ’とする。
【図面の簡単な説明】
【００３９】
【図１】本発明の一実施形態によるマルチキャストサービス提供システムの概略的構成を示すブロック図である。
【図２】本実施形態において使用される下りＴＢフレームのフォーマット図である。
【図３】本実施形態において使用される符号変換テーブルの内容を示す模式図である。
【図４】本実施形態による配信先端末ＩＤ情報の生成方法を単純な例に則して説明するためのフローチャートである。
【図５】本実施形態によるマルチキャストサービス提供システムの移動端末の概略的構成を示すブロック図である。
【図６】本実施形態における移動端末の端末ＩＤ判定部の判定動作を示すフローチャートである。
【図７】本実施形態による端末ＩＤ情報の判定方法を単純な例に則して説明するためのフローチャートである。
【符号の説明】
【００４０】
１０  無線基地局制御装置
１０１  ３値符号変換部
１０２  エンコーダ
１０３  符号変換テーブル
１０４  下り信号生成部
１０５  無線基地局通信制御部
４０１  無線システム
４０２  ベースバンド処理部
４０３  ＩＤ情報検出部
４０４  デコーダ
４０５  符号変換テーブル
４０６  端末ＩＤ判定部
４０７  端末ＩＤメモリ
４０８  制御部
４０９  表示部
４１０  音声処理部
【図１】
2005269138.tif 000003
【図２】
2005269138.tif 000004
【図３】
2005269138.tif 000005
【図４】
2005269138.tif 000006
【図５】
2005269138.tif 000007
【図６】
2005269138.tif 000008
【図７】
2005269138.tif 000009